(57)【要約】      （修正有）【課題】アウターの外観に影響を与えることのない着用感の良い肌着を提供する。【解決手段】下半身に着用され、肌着本体１０は前身頃１３および後身頃１４が、丸編機によって一体に編成された筒状編地からなるものである。前身頃１３および後身頃１４は、胴部側にウエスト部１１が形成され、両脚部側に一対の脚口部１２が形成される。ウエスト部１１および脚口部１２は、前身頃１３および後身頃１４の編み終わり部となる縁部が内側に折り返され、その折り返し部の内側に融着テープが配置され、融着テープの融着により、折り返し部が接合されている。【選択図】図１
0003210964.tif 000002
【実用新案登録請求の範囲】
【請求項１】
丸編機によって編成された編地からなる肌着本体が着用者の体の一部を通す開口部を有し、その開口部は、その編み終わり部に熱可塑性樹脂からなる融着テープが配置されており、前記編み終わり部に前記融着テープが融着接合されている状態である肌着。
【請求項２】
下半身に着用されるものであり、前記開口部が着用者の脚が通る脚口部である請求項１に記載の肌着。
【請求項３】
上半身に着用されるものであり、前記開口部が襟口部および袖口部である請求項１に記載の肌着。
【請求項４】
前記開口部の編地の編み終わり部が、内側に折り返された状態となっており、その折り返し部の内部に前記融着テープが配置されている請求項１から３のいずれか１項に記載された肌着。
【請求項５】
前記開口部の編地の編み終わり部が、内側に折り返された状態となっており、その折り返し部の内部に二枚の前記融着テープが配置され、その二枚の融着テープの間に伸縮性を有する帯状体が配置されている請求項１から３のいずれか１項に記載された肌着。
【考案の詳細な説明】
【技術分野】
【０００１】
この考案は、ブラジャー、タンクトップ、ショーツ、またはレギンスなど、丸編機によって編成された編地からなる肌着に関する。
【背景技術】
【０００２】
従来から肌着の一つとしてショーツが着用され、通常のショーツは、前身頃と後身頃とを両脇および股下において接合し、その接合をミシンで縫製することが一般的である。
【０００３】
このようなショーツは、袋縫いによる生地の重なりや縫い糸の重なりにより、縫合部分が非常に厚くなることがあり、着心地が悪くなるという問題があった。この問題を解決するために、複数の生地部品の端部同士を重ね合わせ、その間にホットメルト接着テープを挟んで融着接合したものや、複数の生地部品の突き合わせ部の片面又は両面に伸縮性布製リボン（布製テープ）をホットメルト接着テープを介在させて当接して融着接合したものが知られている（特許文献１参照）。
【０００４】
また、上記問題を解決するために、着用者の体の部位に合わせて連続して編成した丸編地からなり、その丸編地の腰部または両脚部に対応する部分が所望の形状に裁断されて、腰部または股部のみがミシンで縫製されたものもある（特許文献２参照）。
【先行技術文献】
【特許文献】
【０００５】
【特許文献１】実用新案登録第３０５５３７４号公報
【特許文献２】特開２００２−０８８５１５号公報
【考案の概要】
【考案が解決しようとする課題】
【０００６】
特許文献１に記載されたショーツでは、腰部および股部の厚みは薄くすることができるが、両脇部分は依然として複数の生地を重ね合わせて接合している。このため、アウターの外側から両脇部分が段差として見える状態、いわゆる、アウターにひびく状態となり、アウターの外観に影響を与えるおそれがあった。
【０００７】
特許文献２に記載されたショーツは、着用者の体の部位に合わせて連続して編成した丸編地からなるものであるため、両脇部分がフラットな状態になる。しかしながら、ミシンで縫製する腰部および股部は、厚みが生じて両脇部分のようにフラットにすることが難しく、この場合も、アウターの外観に影響を与えるおそれがあった。
【０００８】
そこで、この考案が解決しようとする課題は、アウターの外観に影響を与えることのない着用感の良い肌着を提供することにある。
【課題を解決するための手段】
【０００９】
前記の課題を解決するために、丸編機によって編成された編地からなる肌着本体が着用者の体の一部を通す開口部を有し、その開口部は、その編み終わり部に熱可塑性樹脂からなる融着テープが配置されており、前記編み終わり部に前記融着テープが融着接合されている状態である構成を採用することができる。
【００１０】
この構成によると、肌着本体の開口部は、編み終わり部に融着テープが融着接合されるので、厚みが厚くなりにくく、アウターの外側から段差が見えないフラットな状態となる。また、肌着本体は丸編機によって編成された編地からなるものであるため、アウターの外側から段差として見え難くなる。
【００１１】
前記構成において、下半身に着用されるものであり、前記開口部が着用者の脚が通る脚口部である構成や、上半身に着用されるものであり、前記開口部が襟口部および袖口部である構成を採用することができる。
【００１２】
これらの構成では、脚口部または、襟口部および袖口部において、厚みが厚くなりにくく、アウターの外側から段差が見えないフラットな状態となる。
【００１３】
前記開口部の編地の編み終わり部が、内側に折り返された状態となっており、その折り返し部の内部に前記融着テープが配置されている構成を採用することができる。この場合、開口部の周縁が折り目となるので、編み終わり部の糸の解れが目立ちにくい。
【考案の効果】
【００１４】
以上のように、この考案では、肌着本体とその開口部はアウターの外側から段差が見えないフラットな状態となり、着用感が良く、アウターの外観に影響を与えることを防止することができる。
【図面の簡単な説明】
【００１５】
【図１】この考案の第一の実施形態に係る肌着の斜視図
【図２】（ａ）図１でのＡ−Ａ線に沿った断面図、（ｂ）図１でのＢ−Ｂ線に沿った断面図、（ｃ）図１でのＣ−Ｃ線に沿った断面図
【図３】同上の肌着の他の形態を示す断面図
【図４】この考案の第二の実施形態に係る肌着の正面図
【図５】この考案の第三の実施形態に係る肌着の斜視図
【図６】この考案の第四の実施形態に係る肌着の正面図
【図７】（ａ）図６でのＤ−Ｄ線に沿った断面図、（ｂ）図６でのＥ−Ｅ線に沿った断面図、（ｃ）図６でのＦ−Ｆ線に沿った断面図
【図８】この考案の第五の実施形態に係る肌着の正面図
【図９】（ａ）この考案の第六の実施形態に係る肌着の正面図、（ｂ）図９（ａ）でのＧ−Ｇ線に沿った断面図
【図１０】この考案の第七の実施形態に係る肌着の正面図
【考案を実施するための形態】
【００１６】
以下、この考案の第一実施形態に係る肌着を添付図面の図１、図２に基づいて説明する。この実施形態に係る肌着１は、下半身に着用されるショーツであって、筒状丸編機により編成された編地からなる肌着本体１０が、胴部側に形成されたウエスト部１１と、両脚部側に形成された一対の脚口部１２とを有するものである。
【００１７】
肌着本体１０は、クロッチ部１３ａを有する前身頃１３と後身頃１４とを有する。前身頃１３および後身頃１４は、丸編機によって一体に編成された筒状編地からなり、両脇において接合部分がない状態で構成されている。前身頃１３および後身頃１４は、ウエスト部１１を形成する上部がゴム編みであり、その他の部分が平編みである。
【００１８】
クロッチ部１３ａは、股下部分の内側に重ね合わされる当て布１５を有し、その前端縁部１５ａがクロッチ部１３ａとの間に配置された帯状の融着テープ２で接合される。当て布１５の後端縁部１５ｂにおいて、当て布１５の後端縁部１５ｂとクロッチ部１３ａとの間およびクロッチ部１３ａと後身頃１４の下端部との間に融着テープ２が配置され、融着テープ２の融着によりクロッチ部１３ａ、当て布１５および後身頃１４が接合される。
【００１９】
肌着本体１０を構成する編地は、例えば、綿、麻、羊毛、絹等の天然繊維、レーヨン、ポリノジック、アセテート、ナイロン、ポリエステル、アクリル等の化学繊維からなる糸で編成され、ナイロン、ポリエステル等の合成繊維は必要に応じて捲縮加工を施すことができる。また、これらの糸は必要に応じてスパンデックス繊維等の弾性繊維糸と交編織により編成することができる。
【００２０】
前身頃１３および後身頃１４の上辺で形成されるウエスト部１１は、着用者の腰部が通される開口部である。ウエスト部１１は、図２（ａ）に示すように、前身頃１３および後身頃１４の編み終わり部となる上縁部が内側に折り返され、その折り返し部の内側の全周に融着テープ２が配置され、融着テープ２の融着により、折り返し部が接合される。
【００２１】
ここで、編み終わり部とは、肌着本体を構成する編地において、丸編機により編成が終わった部分を意味し、編地が着用者の体の部位に合わせて切断された場合での切断された縁部を含むものとする。
【００２２】
前身頃１３および後身頃１４の下辺に形成される一対の脚口部１２、１２は、着用者の大腿部が通る開口部である。一対の脚口部１２、１２は、前身頃１３および後身頃１４の編み終わり部となる下縁部が内側に折り返されている。その折り返し部の内側の全周に融着テープ２が配置され、融着テープ２の融着により折り返し部が接合される（図２（ｂ）参照）。
【００２３】
また、一対の脚口部１２、１２は、クロッチ部１３ａにおいて、図２（ｃ）に示すように、クロッチ部１３ａの下縁部が当て布１５上に重なる状態で、内側に折り返されている。その折り返し部は、当て布１５との間に融着テープ２が配置されており、融着テープ２の融着により、折り返し部が当て布１５と接合される。
【００２４】
融着テープ２の素材としては、熱可塑性樹脂を適用することができ、例えば、ＥＶＡ（エチレン酢酸ビニル共重合化合物）系、ＰＯ（ポリオレフィン共重合化合物）系、ＰＡ（ポリアミド）系、ＰＵ（ポリウレタン）系、ＡＣＲ（アクリレート共重合化合物）系、ＳＲ（合成ゴム）系などが挙げられ、肌着本体１０の編地を編成する糸の素材により選択される。
【００２５】
また、融着テープ２により肌着本体１０などの編地を接合する方法としては、例えば、アイロンなどの加熱具によって、融着テープ２を一部溶融させて仮止めする。その後、１６０℃〜２００℃の環境下で、コンベア上に肌着１を載せ、約１０秒〜４０秒間移動させて、融着テープ２を完全に溶融させ、冷却、固化させて接合するものである。
【００２６】
この実施形態に係る肌着１は、上記のようなものであり、肌着本体１０が丸編機によって編成された筒状編地からなるものであるため、前身頃１３と後身頃１４との間に接合部分がない状態となる。
【００２７】
また、ウエスト部１１では、前身頃１３および後身頃１４が上縁部で内側に折り返され、折り返し部が融着テープ２により接合されている。一対の脚口部１２では、前身頃１３および後身頃１４の編み終わり部となる下縁部が内側に折り返され、その折り返し部が融着テープ２により接合されている。このようなウエスト部１１および脚口部１２では、厚みが厚くなりにくく、その周縁辺部がフラットな状態になる。
【００２８】
以上より、肌着１は、その肌着本体１０、ウエスト部１１、および脚口部１２がアウターの外側から段差が見えないフラットな状態となり、着用感が良く、アウターの外観に影響を与えることを防止することができる。
【００２９】
なお、この実施形態でのウエスト部１１は、前身頃１３および後身頃１４が上辺で内側に折り返され、折り返し部が融着テープ２により接合されるものであるが、これに限られず、前身頃１３および後身頃１４の上端縁部を内側に折り返さず、編み終わり状態のままとしてもよい。
【００３０】
また、ウエスト部１１としては、図３（ａ）に示すように、前身頃１３および後身頃１４の折り返し部において、二枚の融着テープ２の間に伸縮性を有する帯状体３を挟み込んだ状態で融着テープ２により接合するようにしてもよい。この帯状体３としては、透明弾力テープ、穴あき透明弾力テープ、ピコゴム、または、平ゴムなどを使用することができる。
【００３１】
また、ウエスト部１１は、図３（ｂ）に示すように、前身頃１３および後身頃１４の折り返し部において、二枚の融着テープ２を重ねた状態で接合するようにしてもよい。
【００３２】
さらに、ウエスト部１１においては、図３（ｃ）に示すように、前身頃１３および後身頃１４の上端縁部を内側に折り返さず、編み終わり状態のままとし、その編み終わり部の内側に融着テープ２を介して帯状体３を接合するようにしてもよい。
【００３３】
また、この実施形態での脚口部１２は、前身頃１３および後身頃１４が下辺で内側に折り返され、折り返し部が融着テープ２により接合されるものであるが、これに限られない。例えば、前身頃１３および後身頃１４の下端縁部を内側に折り返さず、その編み終わり部の内側に融着テープ２を接合するようにしてもよい。
【００３４】
脚口部１２においても、ウエスト部１１と同様に、前身頃１３および後身頃１４の折り返し部において、二枚の融着テープ２の間に伸縮性を有する帯状体３を挟み込んだ状態で融着テープ２により接合したり、二枚の融着テープ２を重ねた状態で接合したりしてもよい。また、前身頃１３および後身頃１４の下端縁部の編み終わり部の内側に融着テープ２を介して上述の帯状体３を接合してもよい。
【００３５】
次に、この考案の第二の実施形態に係る肌着を図４に示す。この実施形態に係る肌着１は、クロッチ部１３ａが前身頃１３とは別体であり、前身頃１３の中央の鼠蹊部に対応する位置に当て布１５が接合されている点で、上述の第一の実施形態と相違する。その他の構成については、第一の実施形態の構成と同じと考えられるものは、同じ符号を付してその説明を省略する。
【００３６】
この実施形態に係る肌着１は、下半身に着用する、いわゆるボクサーパンツであり、筒状丸編成形機により編成された編地からなる肌着本体１０が、胴部側に形成されたウエスト部１１と、両脚部側に形成された一対の脚口部１２とを有するものである。
【００３７】
この実施形態では、肌着本体１０の前身頃１３と後身頃１４との間に接合部分がない状態となり、ウエスト部１１および脚口部１２では、その周縁辺部がフラットな状態になる。
【００３８】
この考案の第三の実施形態に係る肌着を図５に示す。この実施形態に係る肌着１は、肌着本体１０が一対の裾部１６、１６をさらに有する点で、上述の第二の実施形態と相違する。その他の構成については、第二の実施形態の構成と同じと考えられるものは、同じ符号を付してその説明を省略する。
【００３９】
この実施形態に係る肌着１は、下半身に着用するタイツあるいはレギンスと称されるものであり、筒状丸編成形機により編成された編地からなる肌着本体１０が、一対の裾部１６、１６を有する。そして、肌着本体１０が胴部側に形成されたウエスト部１１と、一対の裾部１６、１６の下端部で開口する開口部としての脚口部１２とを有するものである。
【００４０】
この実施形態では、第二の実施形態の場合と同様に、肌着本体１０の前身頃１３と後身頃１４との間に接合部分がない状態となり、ウエスト部１１および脚口部１２では、その周縁辺部がフラットな状態になる。
【００４１】
図６は、この考案の第四の実施形態に係る肌着を示すものであり、この実施形態は、肌着本体１０が、上半身に着用するものである点で、上述した第一〜第三の実施形態に係る肌着１と相違する。
【００４２】
すなわち、第四の実施形態に係る肌着１は、ブラジャーであって、筒状丸編成形機により編成された編地からなる肌着本体１０が、胸部の下方に形成された開口部２１と、首回りに形成された襟口部２２と、両腕側に形成された袖口部２３とを有するものである。
【００４３】
肌着本体１０は、胸部から腹部を覆う前身頃２４と、背中部を覆う後身頃２５とを有する。前身頃２４および後身頃２５は、丸編機によって一体に編成された筒状編地からなり、接合部分がない状態で構成されている。
【００４４】
前身頃２４は、バストに対応する部分の内側に取り付けられ、バストを覆う一対のカップ２４ａ、２４ａを有している。前身頃２４および後身頃２５は、両肩に対応する部分で相互に融着テープ２の融着により接合されている。
【００４５】
前身頃２４および後身頃２５の下辺に開口部２１が形成される。開口部２１は、図７（ａ）に示すように、前身頃２４および後身頃２５の下縁部が内側に折り返され、その折り返し部の内側の全周に融着テープ２が配置され、融着テープ２の融着により、折り返し部が接合される。
【００４６】
また、前身頃２４および後身頃２５の上側中央部分には、着用者の首が通る開口部となる襟口部２２が形成される。襟口部２２は、図７（ｂ）に示すように、前身頃２４および後身頃２５の首回りに対応する縁部が内側に折り返され、その折り返し部の内側の全周に融着テープ２が配置され、融着テープ２の融着により、折り返し部が接合される。
【００４７】
さらに、前身頃２４および後身頃２５の上方両側には、着用者の腕が通る開口部となる袖口部２３が形成されている。袖口部２３は、図７（ｃ）に示すように、前身頃２４および後身頃２５の腕部に対応する縁部が内側に折り返され、その折り返し部の内側の全周に融着テープ２が配置され、融着テープ２の融着により、折り返し部が接合される。
【００４８】
この実施形態では、肌着本体１０が丸編機によって編成された筒状編地からなるものであるため、前身頃１３と後身頃１４との間に接合部分がない状態となる。
【００４９】
また、肌着本体１０の開口部２１、襟口部２２および袖口部２３が内側に折り返され、その折り返し部内に融着テープ２が配置される。その融着テープ２の溶融により折り返し部が接合される。このような開口部２１および襟口部２２、および袖口部２３では、厚みが厚くなりにくく、その周縁辺部がフラットな状態になる。
【００５０】
なお、この実施形態での開口部２１、襟口部２２および袖口部２３は、その前身頃２４および後身頃２５の縁部を内側に折り返さず、編み終わり状態のままとしてもよい。また、開口部２１、襟口部２２および袖口部２３は、上述の第一の実施形態のウエスト部１１と同様の態様を採用することもできる。
【００５１】
すなわち、前身頃２４および後身頃２５の折り返し部において、二枚の融着テープ２の間に伸縮性を有する帯状体３を挟み込んだ状態で融着テープ２により接合したり、二枚の融着テープ２を重ねた状態で接合したりしてもよい。また、前身頃２４および後身頃２５の編み終わり部の内側に融着テープ２を介して上述の帯状体３を接合してもよい。
【００５２】
この考案の第五の実施形態に係る肌着を図８に示す。この実施形態に係る肌着１は、開口部２１がより低い位置に形成されている点で、上述の第四の実施形態と相違する。その他の構成については、第四の実施形態の構成と同じと考えられるものは、同じ符号を付してその説明を省略する。
【００５３】
すなわち、この実施形態に係る肌着１は、キャミソールあるいはタンクトップと称されるものであり、肌着本体１０が筒状丸編機により編成された編地からなる。肌着本体１０は、下端部に形成された開口部２１と、首回りに形成された襟口部２２と、両腕側に形成された袖口部２３とを有する。
【００５４】
この実施形態では、第四の実施形態の場合と同様に、肌着本体１０の前身頃２４と後身頃２５との間に接合部分がない状態となり、開口部２１および襟口部２２、および袖口部２３では、その周縁辺部がフラットな状態になる。
【００５５】
この考案の第六の実施形態に係る肌着を図９（ａ）、（ｂ）に示す。この実施形態に係る肌着１は、肌着本体１０が一対の袖部１７、１７をさらに有する点、一対のカップ２４ａを有していない点で、上述の第五の実施形態と相違する。その他の構成については、第五の実施形態の構成と同じと考えられるものは、同じ符号を付してその説明を省略する。
【００５６】
この実施形態の肌着１は、図９（ａ）に示すように、スリーマであって、肌着本体１０を構成する前身頃２４および後身頃２５と、一対の袖部１７、１７とがそれぞれ筒状丸編機により編成された筒状編地からなる。
【００５７】
前身頃２４および後身頃２５は、その上方両側に形成される一対のアームホール２６、２６を有する。それぞれのアームホール２６の周縁部には、融着テープ２の融着によりそれぞれ袖部１７が接合される。袖部１７は、先端部に着用者の腕が通る開口部である袖口部２３を有する。
【００５８】
袖口部２３は、図９（ｂ）に示すように、袖部１７の下辺が内側に折り返され、その折り返し部の内部に融着テープ２が配置されており、折り返し部は、融着テープ２の融着により接合される。なお、この実施形態の肌着１は、スリーマとしてだけでなく、例えば、いわゆるアンダーシャツとして利用してもよい。
【００５９】
図１０は、この考案の第七の実施形態に係る肌着を示すものであり、この実施形態は、肌着本体１０が、着用者の腹回りに着用するものである点で、上述した第一〜第六の実施形態と相違する。
【００６０】
すなわち、第七の実施形態に係る肌着１は、腹巻であって、筒状丸編機により編成された編地からなる肌着本体１０が、胸側に形成された上側開口部２７および脚側に形成された下側開口部２８を有する。
【００６１】
上側開口部２７は、肌着本体１０の上縁部が内側に折り返され、その折り返し部の内側の全周に融着テープ２が配置され、融着テープ２の融着により、折り返し部が接合される。一方、下側開口部２８は、肌着本体１０の下縁部が内側に折り返され、その折り返し部の内側の全周に融着テープ２が配置され、融着テープ２の融着により、折り返し部が接合される。
【００６２】
この実施形態も、その肌着本体１０、上側開口部２７、および下側開口部２８がアウターの外側から段差が見えないフラットな状態となる。なお、この実施形態の肌着１は、腹巻としてだけでなく、例えば、胸周りに着用するチューブトップにも利用できる。
【００６３】
なお、この実施形態での上側開口部２７、および下側開口部２８は、その肌着本体１０の縁部を内側に折り返さず、編み終わり状態のままとしてもよい。また、上側開口部２７、および下側開口部２８は、肌着本体１０の折り返し部において、上述の第一の実施形態のウエスト部１１と同様の態様を採用することもできる。
【００６４】
すなわち、肌着本体１０の折り返し部において、二枚の融着テープ２の間に伸縮性を有する帯状体３を挟み込んだ状態で融着テープ２により接合したり、二枚の融着テープ２を重ねた状態で接合したりしてもよい。また、肌着本体１０の編み終わり部の内側に融着テープ２を介して上述の帯状体３を接合してもよい。
【符号の説明】
【００６５】
１  肌着
２  融着テープ
３  帯状体
１０  肌着本体
１１  ウエスト部
１２  脚口部
１３、２４  前身頃
１４、２５  後身頃
１３ａ  クロッチ部
１５  当て布
１５ａ  前端縁部
１５ｂ  後端縁部
１６  裾部
１７  袖部
２１  開口部
２２  襟口部
２３  袖口部
２４ａ  カップ
２６  アームホール
２７  上側開口部
２８  下側開口部
【図１】
0003210964.tif 000003
【図２】
0003210964.tif 000004
【図３】
0003210964.tif 000005
【図４】
0003210964.tif 000006
【図５】
0003210964.tif 000007
【図６】
0003210964.tif 000008
【図７】
0003210964.tif 000009
【図８】
0003210964.tif 000010
【図９】
0003210964.tif 000011
【図１０】
0003210964.tif 000012